(57)【特許請求の範囲】
【請求項１】
筒状体内に導火手段挿入孔を備えた中栓と底部とを取り付け、該中栓と底部との間に火薬を充填し、導火手段の一端を中栓の導火手段挿入孔より火薬中に導入し、該導火手段を固着手段により導火手段挿入孔に固着してなる噴き出し花火において、前記導火手段は軸に火薬を固着してなる花火であることを特徴とする噴き出し花火。
【請求項２】
筒状体内に導火手段挿入孔を備えた中栓と底部とを取り付け、該中栓と底部との間に火薬を充填し、導火手段の一端を中栓の導火手段挿入孔より火薬中に導入し、該導火手段を固着手段により導火手段挿入孔に固着してなる噴き出し花火において、前記導火手段は導火手段の筒状体内に火薬を充填してなる花火であることを特徴とする噴き出し花火。
【請求項３】
筒状体内に導火手段挿入孔を備えた中栓と底部とを取り付け、該中栓と底部との間に火薬を充填し、導火手段の一端を中栓の導火手段挿入孔より火薬中に導入し、該導火手段を固着手段により導火手段挿入孔に固着してなる噴き出し花火において、前記導火手段は一対の板状体間に火薬を挟着させてなる花火であることを特徴とする噴き出し花火。
【発明の詳細な説明】
【０００１】
【産業上の利用分野】
本発明は玩具花火としての噴き出し花火に関するものである。
【０００２】
【従来の技術】
噴き出し花火としては、図６に示すものが既に知られている。この噴き出し花火は筒状体１内に導火線挿入孔３を備えた中栓５と底部７とを取り付け、該中栓５と底部７との間に火薬９を充填し、導火線１１の一端を中栓５の導火線挿入孔３より火薬９中に導入し、該導火線１１を紙管、接着テープ、黒色火薬系の点火薬等の固着手段１３により導火線挿入孔３に固着してなるものである。
【０００３】
【発明が解決しようとする課題】
上記従来の噴き出し花火においては、導火線１１は単に筒状体１内の火薬９に点火するための手段に過ぎないものであり、導火線１１自体の燃焼は決して美しいものではない。換言すれば、噴き出し花火の使用者は、導火線１１の燃焼を楽しむものではなく、あくまでも筒状体１内の火薬９の燃焼を楽しむものである。即ち、導火線１１により筒状体１内の火薬９が着火すると、該火薬９は中栓５の導火線挿入孔３を通って上方に勢い良く噴き上がり、燃焼するのであり、使用者はこの火薬９が上方に勢い良く噴き上がり、燃焼する状態のみを楽しむものである。
本発明は、噴き出し花火をより一層面白いものにするために、噴き出し花火における導火線部分の燃焼をも楽しむことができるようにしたものである。
【０００４】
【課題を解決するための手段】
上記課題を解決するために、本発明は、筒状体内に導火手段挿入孔を備えた中栓と底部とを取り付け、該中栓と底部との間に火薬を充填し、導火手段の一端を中栓の導火手段挿入孔より火薬中に導入し、該導火手段を固着手段により導火手段挿入孔に固着してなる噴き出し花火において、前記導火手段は軸に火薬を固着してなる花火であることを特徴とする噴き出し花火（請求項１）を提供するものである。
【０００５】
前記導火手段は、筒状体内に火薬を充填してなる花火であってもよい（請求項２）。
【０００６】
前記導火手段は、一対の板状体間に火薬を挟着させてなる花火であってもよい（請求項３）。
【０００７】
【作用】
［請求項１の噴き出し花火］
請求項１の噴き出し花火を使用する際には、導火手段たる軸に火薬を固着してなる花火の他端（上端）に点火する。しかるときは、軸に火薬を固着してなる花火は上端より下端方向に徐々に燃焼し、やがて中栓と底部との間に充填された火薬が着火し、該火薬は上方に勢い良く噴き上がり、燃焼する。しかして、軸に火薬を固着してなる花火は、導火線と異なり「スパークラー」と呼ばれる花火そのものであるから、美しい炎色と好ましい音を発しつつ燃焼する。即ち、この噴き出し花火に取り付けた、軸に火薬を固着してなる花火は中栓と底部との間に充填された火薬に対する導火手段としての役割を果たすだけでなく、炎色と音を楽しませる花火としての役割をも果たすのである。即ち、請求項１の噴き出し花火の使用者は、軸に火薬を固着してなる花火（スパークラー）の燃焼を楽しんだ後、引続き中栓と底部との間に充填された火薬の噴き出しを楽しむことができるのである。
【０００８】
［請求項２の噴き出し花火］
請求項２の噴き出し花火における導火手段は筒状体内に火薬を充填してなる花火である。この花火は導火線と異なり「ススキ」と呼ばれる花火そのものであるから、前記軸に火薬を固着してなる花火と同様に、美しい炎色と好ましい音を発しつつ燃焼する。その他の点においては、請求項２の噴き出し花火は請求項１の噴き出し花火と同様の作用を有する。
【０００９】
［請求項３の噴き出し花火］
請求項３の噴き出し花火における導火手段は一対の板状体間に火薬を挟着させてなる花火である。この花火は導火線と異なり「サーチライト」と呼ばれる花火そのものであるから、前記軸に火薬を固着してなる花火と同様に、美しい炎色と好ましい音を発しつつ燃焼する。その他の点においては、請求項３の噴き出し花火は請求項１の噴き出し花火と同様の作用を有する。
【００１０】
【実施例】
次に、本発明の実施例を添付図面に従って説明する。
まず、本発明の噴き出し花火が従来の噴き出し花火と共通する点について説明する。
符号２１に示すものは噴き出し花火の筒状体である。筒状体２１内には導火手段挿入孔２３を備えた中栓２５と底部２７とを取り付け、該中栓２５と底部２７との間に火薬２９を充填し、導火手段３１の一端を中栓２５の導火手段挿入孔２３より火薬２９中に導入し、該導火手段３１を紙管、接着テープ、黒色火薬系の点火薬等の固着手段３３により導火手段挿入孔２３に固着する。
【００１１】
しかして、本発明においては、前記導火手段３１として、図２に示すように軸４１に火薬４３を固着してなる花火を使用する。この導火手段３１としての花火は「スパークラー」と同様のものである。この導火手段３１としての花火の先端には、点火薬３２を固着してもよい。
【００１２】
また、前記導火手段３１として、図３に示すように筒状体５１内に火薬５３を充填してなる花火を使用してもよい。この導火手段３１としての花火は「ススキ」と同様のものである。この導火手段３１としての花火の先端には、点火薬３２を固着してもよい。
【００１３】
また、前記導火手段３１として、図４、図５に示すように一対の板状体６１、６１間に火薬６３を挟着させてなる花火を使用してもよい。この導火手段３１としての花火は「サーチライト」と同様のものであって、例えば一対の板状体６１、６１を構成する２枚のシート間に火薬を挟着させ、これを短冊状に切断することにより形成される。この導火手段３１としての花火の先端には、点火薬３２を固着してもよい。
【００１４】
【発明の効果】
［請求項１の噴き出し花火］
請求項１の噴き出し花火における導火手段は軸に火薬を固着してなる花火である。この花火は、導火線と異なり、美しい炎色と好ましい音を発しつつ燃焼する。従って、この噴き出し花火の使用者は、軸に火薬を固着してなる花火（スパークラー）の燃焼を楽しんだ後、引続き中栓と底部との間に充填された火薬の噴き出しを楽しむことができるのである。
【００１５】
［請求項２の噴き出し花火］
請求項２の噴き出し花火における導火手段は筒状体内に火薬を充填してなる花火である。この花火は、導火線と異なり、美しい炎色と好ましい音を発しつつ燃焼する。従って、この噴き出し花火の使用者は、筒状体内に火薬を充填してなる花火（ススキ）の燃焼を楽しんだ後、引続き中栓と底部との間に充填された火薬の噴き出しを楽しむことができるのである。
【００１６】
［請求項３の噴き出し花火］
請求項３の噴き出し花火における導火手段は一対の板状体間に火薬を挟着させてなる花火である。この花火は、導火線と異なり、美しい炎色と好ましい音を発しつつ燃焼する。従って、この噴き出し花火の使用者は、一対の板状体間に火薬を挟着させてなる花火（サーチライト）の燃焼を楽しんだ後、引続き中栓と底部との間に充填された火薬の噴き出しを楽しむことができるのである。
【図面の簡単な説明】
【図１】本発明による噴き出し花火の一例を示す斜視図である。
【図２】同上噴き出し花火の断面図である。
【図３】本発明による噴き出し花火の別の一例を示す断面図である。
【図４】本発明による噴き出し花火の更に別の一例を示す断面図である。
【図５】図４のＶ−Ｖ線における端面図である。
【図６】従来の噴き出し花火の断面図である。
【符号の説明】
１  筒状体
３  導火線挿入孔
５  中栓
７  底部
９  火薬
１１  導火線
１３  固着手段
２１  筒状体
２３  導火手段挿入孔
２５  中栓
２７  底部
２９  火薬
３１  導火手段
３２  点火薬
３３  固着手段
４１  軸
４３  火薬
５１  筒状体
５３  火薬
６１  板状体
６３  火薬
【図１】
0003576251.tif 000002
【図２】
0003576251.tif 000003
【図３】
0003576251.tif 000004
【図４】
0003576251.tif 000005
【図５】
0003576251.tif 000006
【図６】
0003576251.tif 000007